(57)【特許請求の範囲】
【請求項１】
自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部を有し、前記検索機能部は、使用者の任意により選択可能な形態で登録された複数の検索条件を保持する検索条件メモリ部を含んで構成されたものであることを特徴とする携帯情報端末装置。
【請求項２】
自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部を有し、前記検索機能部は、使用者の任意により選択可能な形態で登録された複数の検索条件を保持する検索条件メモリ部と、該検索条件メモリ部に登録された検索条件により検索を行なった結果として当該検索条件に合致することとなった他機を表す表示を行なうための表示機能部と、該表示機能部によって表示された検索結果としての複数の他機のうちから所望のものを選択するための選択操作部を備えることを特徴とする携帯情報端末装置。
【請求項３】
自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部と、被写体の光像に対応する電子画像データを得るための撮像部と、前記撮像部によって取得された電子画像データのうち最新のものを前記設定された条件に合致する通信相手としての他機に前記短距離無線通信機能部によって伝送する画像伝送手段とを備えることを特徴とする携帯情報端末装置。
【請求項４】
自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部と、被写体の光像に対応する電子画像データを得るための撮像部と、前記撮像部によって電子画像データを取得する動作を起動させるための操作が行なわれたときには、画像を送信する機能が選択されていれば、自動的に前記設定された条件に合致する通信相手としての他機を検索する機能も起動するように構成された制御部を備えることを特徴とする携帯情報端末装置。
【請求項５】
前記検索機能部は、検索結果を表示するための表示機能部を持つものであることを特徴とする請求項１乃至４のいずれかに記載の携帯情報端末装置。
【請求項６】
前記選択操作部は該当する複数の他機を同時に選択することが可能に構成され
たものであることを特徴とする請求項２に記載の携帯情報端末装置。
【請求項７】
前記短距離無線通信機能部は、ネットワークを介して通信を行なう通信機能を有する主たる通信機能部に対して従たる通信機能部として附設されたものであることを特徴とする請求項１乃至４のいずれかに記載の携帯情報端末装置。
【発明の詳細な説明】
【０００１】
【発明の属する技術分野】
本発明は、ネットワークを介して通信を行なう通常の携帯電話のような通信機能を有する主たる通信機能部に対し、ネットワークを介さずに直接他機との間で無線通信を行なうことができるように構成された携帯情報端末装置の改良に関するものである。
【０００２】
【従来の技術】
ファイルサーバを介在せずに直接、携帯情報端末間のファイル転送が行え、かつファイル転送要求の操作入力が電話側のみで行えるファイル転送システムが提案されている（特開２００１−１２８２４２号公報）。この提案は、携帯電話を用いて、近くにある携帯情報端末やパーソナルコンピュータ上に、遠隔地にあるファイルを転送する（ダウンロードする）方式に関するものであり、携帯電話通信用の無線機能と、それとは別の近距離無線通信機能を併せ持った携帯電話を利用して、ファイルを転送する（ダウンロードする）というものである。
【０００３】
この携帯電話端末間ファイル転送システムでは、リスト要求し、かつ選択入力を送信する携帯電話ファイル受信アプリケーション手段を携帯電話端末内に備え、受信側の要求により起動してリスト及び対象ファイルを送る送信側携帯情報端末を備える。共通に使用できるファイルサーバなしに直接、携帯情報端末間でファイル転送が行え、かつ要求操作を電話端末のみから行って操作性が向上する効果があるとされている。
【０００４】
無線通信装置の現在位置を表すＧＰＳ（Global Positioning System）の自位置情報を測定対象の装置に対してブルートゥースによる無線通信により直接送信する無線通信手段と、この測定対象の装置から送り返された上記自位情報の信号に対する応答信号を上記無線通信手段によって受信した後、当該応答信号と上記自位置情報の信号とに基づいて現在位置から測定対象の装置までの距離を算出する演算手段とを具えた無線通信システムが提案されている（特開２００１−３５９１４３号公報）。基地局を介することなく測定信号及び応答信号を測定対象と直接やりとりして測定対象との距離や位置関係を容易に検出し得るとされている。
【０００５】
上記のブルートゥース（Bluetooth）は標準化団体である Bluetooth SIG（Special Interest Group）によって標準化された近距離無線データ通信規格であり、2.4[GHz]帯のＩＳＭバンド（Industrial Scientific and Medical Equipment Band）に帯域幅１[MHz]のチャネルを７９個設定し、１秒間に１６００回チャネルを切り換える周波数ホッピング方式のスペクトラム拡散通信方式を用い、データ伝送速度１[Mbit/秒] （実効721[Kbit/ 秒] ）で約１０[m] 程度の近距離でデータ通信を行うようになされている。
【０００６】
特開２００１−１２８２４２号公報に提案されたシステムでは、リスト要求し、かつ選択入力を送信する携帯電話ファイル受信アプリケーション手段を携帯電話端末内に備え、受信側の要求により起動してリスト及び対象ファイルを送る送信側携帯情報端末を備える必要があり構成が複雑なものとなる。
【０００７】
一方特開２００１−１２８２４２号公報の提案では、ブルートゥースを用いて双方の携帯電話端末間で直接に音声やデータの通信を行なうことはできない。
【０００８】
【発明が解決しようとする課題】
周知のように、ブルートゥースを用いて他の端末のサーチを行う場合、通信可能な全ての端末を認識してしまうので、別段の手段を講じることなく通信相手をユーザーの希望する端末のみに制限することは困難である。また、従来はブルートゥースや赤外線通信などの近距離無線通信機能を用いて、近隣に存在する特定の無線情報端末のみにデータを送信したい場合、送信側と受信側の両方で整合をとるための煩雑な操作が必要であった。
【０００９】
特に送信データが撮像装置により撮影した画像の場合は、その場で近隣に存在する特定の複数端末に送信したいというニーズがあるのに対し、簡単な操作でニーズを満たす有効な手段が無かった。
【００１０】
そこで本発明の目的は、ブルートゥースのような近距離無線通信機能を応用して、簡単な構成で、ネットワークを介さずに直接他機との間で無線通信を行なうことができるように構成された携帯情報端末装置を提供すること目的とする。また撮像装置により撮影した画像の送信に関して特に利便性が図られるこの種の装置を提供することを目的とする。
【００１１】
【課題を解決するための手段】
上述の課題を解決するため、本発明による携帯情報端末装置は、次のような特徴を備えている。
【００１２】
（１）自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部を有し、前記検索機能部は、使用者の任意により選択可能な形態で登録された複数の検索条件を保持する検索条件メモリ部を含んで構成された携帯情報端末装置。
【００１３】
（２）自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部を有し、前記検索機能部は、使用者の任意により選択可能な形態で登録された複数の検索条件を保持する検索条件メモリ部と、該検索条件メモリ部に登録された検索条件により検索を行なった結果として当該検索条件に合致することとなった他機を表す表示を行なうための表示機能部と、該表示機能部によって表示された検索結果としての複数の他機のうちから所望のものを選択するための選択操作部を備える携帯情報端末装置。
【００１４】
（３）自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部と、被写体の光像に対応する電子画像データを得るための撮像部と、前記撮像部によって取得された電子画像データのうち最新のものを前記設定された条件に合致する通信相手としての他機に前記短距離無線通信機能部によって伝送する画像伝送手段とを備える携帯情報端末装置。
【００１５】
（４）自己との通信に適合する他機との間でネットワークを介することなく短距離無線通信を行うための短距離通信機能部を備えた携帯情報端末装置であって、前記短距離無線通信機能部は、設定された条件に合致する通信相手としての他機を検索するための検索機能部と、被写体の光像に対応する電子画像データを得るための撮像部と、前記撮像部によって電子画像データを取得する動作を起動させるための操作が行なわれたときには、画像を送信する機能が選択されていれば、自動的に前記設定された条件に合致する通信相手としての他機を検索する機能も起動するように構成された制御部を備える携帯情報端末装置。
【００１６】
（５）前記検索機能部は、検索結果を表示するための表示機能部を持つものである上記（１）乃至（４）のいずれかの携帯情報端末装置。
【００１７】
（６）前記選択操作部は該当する複数の他機を同時に選択することが可能に構成されたものである上記（２）の携帯情報端末装置。
【００１８】
（７）前記短距離無線通信機能部は、ネットワークを介して通信を行なう通信機能を有する主たる通信機能部に対して従たる通信機能部として附設されたものである上記（１）乃至（４）のいずれかの携帯情報端末装置。
【００２１】
【発明の実施の形態】
以下、本発明の好適実施形態について詳細に説明する。
【００２２】
図１は、本発明の一実施形態の要部を示す機能ブロック図である。図１において、この実施形態の携帯情報端末装置としての携帯無線端末１００は、マイクロプロセッサを含んで構成されこの端末装置の系全体を統括的に制御するための制御部１１０、この制御部１１０による制御下で使用者による種々の操作を受け付けるための操作キー等を含んで構成される操作部１２０、この制御部１１０における種々の演算制御に適用するデータを保持するためのメモリ部１３０、及び、この携帯端末１００と同様の構成を有する他の携帯端末２００や更に他の同様な携帯端末３００等と相互に仕様に応じた限定的的な領域内での短距離の無線通信を行なうための短距離無線通信部１４０を含んで構成される。
【００２３】
操作部１２０は後述するサーチ機能を起動させるための操作を受け付ける。メモリ部１３０にはサーチの際に参照する個人情報などが予め記憶されている。短距離無線通信部１４０は、近隣の、即ち仕様に応じて相対的に狭く限定された無線通信が可能な領域内に存在する他の端末のサーチ、およびデータ送信に適合すように構成され、ネットワークを介さず他の携帯無線端末２００，３００と直接無線でデータ通信を行う。尚、本携帯無線端末１００は、図を伴って詳述することは省略するが、ネットワークを介して通信を行なう通信機能を有する主たる通信機能部に対して、図１に基づいて説明した上述の短距離無線通信部１４０が従たる通信機能部として附設されて構成されている。主たる通信機能部は、例えば、公知の携帯電話機におけると同様のＣＤＭＡ（Code Division Multie Access；符号分割多元接続）方式の構成を有する。これに対し、短距離無線通信部１４０は、ブルートゥース（段落０００５参照）や赤外線通信などの方式をとる。
【００２４】
図２は、図１の実施形態の全体の動作を表すフローチャートである。このフローチャートを参照して、本実施形態の動作について詳細に説明する。
【００２５】
まず、操作部１２０での操作に基づいて制御部１１０による制御下でサーチ機能を作動させる（ステップＡ１，Ａ２）。短距離無線通信部１４０を使用し、他の携帯無線端末２００，３００とネットワークを介さず直接通信を行うことでサーチ機能を実現する。サーチを行う際に検出の条件を設定することが可能で、その条件を設定するための情報はあらかじめメモリ部１３０に保存してある個人情報や相手端末２００，３００のＩＤなどの情報であり、これらを所要に応じてそのときの検索条件として選択的に適用する。
【００２６】
例えば、「自分の端末の電話帳に登録されている」というサーチの検索条件を設定する。サーチを行った結果、この条件を満たす携帯情報端末が検出されない場合は処理を終了し（ステップＡ３）、検出された場合（ステップＡ３）、その検索結果を画面に表示する（ステップＡ４）。
【００２７】
検索結果からデータの「送信先」を選択し（送信先有り）、もしくは「送信しない」（送信先無し）を選択する（ステップＡ５）。
【００２８】
送信データを選択し（ステップＡ６）、検索条件に合致した限定的な他機（携帯情報端末装置）を送信先としてデータを送信する（ステップＡ７）。
本実施形態では、以上のようにして、通信相手をユーザーが希望する端末のみに限定することができるので、簡易な操作で通信の目的に合致する相手のみを選んでデータ送信をするが可能となる。
【００２９】
以上、図１及び図２に基づいて説明した実施形態によれば、極近距離の通信相手に対してさえも画像データをメールに添付し送信先を指定してネットワークを介して送信する必要があるという従来の装置におけるような取扱の煩雑さが一掃される。また、赤外線通信などの短距離通信を利用しつつも、共通の暗号を設定する必要がある等の煩雑さがなくなり、簡単な操作で近隣の相手先端末にデータ等を送信することができる。
【００３０】
図３は本発明の他の実施形態の要部を示す機能ブロック図である。この実施形態は、撮像機能を備えたものである。 撮像機能を用いて、その場で撮影した画像を近隣に存在する特定の携帯無線端末に送信したい場合、従来は、画像データをメールに添付し送信先を指定して送信する必要があった。また、赤外線通信などの短距離通信を用いた場合においても、共通の暗号を設定する必要がある等操作が煩雑であった。本実施形態によれば、画像を送信する際の宛先選択の操作を簡略化することができ、簡単な操作で近隣の端末に撮影した画像を送信することができる。以下に、この実施形態について説明する。
【００３１】
図３において、この実施形態の携帯無線端末４００は、マイクロプロセッサを含む構成を有しこの端末装置の系全体を統括的に制御するための制御部４１０、この制御部４１０による制御下で使用者による種々の操作を受け付けるための操作キー等を含んで構成される操作部４２０、被写体の光像に対応する電子画像データを得るための撮像部４３０、制御部４１０における種々の演算制御に適用するデータを保持するためのメモリ部４４０、及び、この携帯端末４００と同様の構成を有する他の携帯端末５００や更に他の同様な携帯端末６００等と仕様に応じた限定的な領域内での短距離の無線通信を行なうための短距離無線通信部４５０を含んで構成される。
【００３２】
操作部４２０は撮影機能および既述の実施形態略同様のサーチ機能を起動させるための操作を受け付ける。この実施形態では、撮影機能とサーチ機能とは操作部４２０に対する一つの操作に応じて起動するように構成されている。即ち、撮影のためのトリガースイッチ（不図示）を押圧するなど撮影のための操作を行なうと、送信する機能が選択されていると、自動的にサーチ機能も作動する。
【００３３】
メモリ部４４０は個人情報記憶部４４１、最新画像記憶部４４２を含む。個人情報記憶部４４１はサーチの際に参照する個人情報が予め記憶されている。最新画像記憶部４４２は撮影した画像の中で最新のものを記憶する。短距離無線通信部４５０は近隣、即ち仕様に応じて相対的に狭く限定された無線通信が可能な領域内に存在する他の端末のサーチ、およびデータ送信に適合すように構成され、ネットワークを介さず他の携帯無線端末５００，６００と直接無線でデータ通信を行う。尚、この実施形態でも、携帯無線端末４００は、図を伴って詳述することは省略するが、ネットワークを介して通信を行なう通信機能を有する主たる通信機能部に対して、図３に基づいて説明した上述の短距離無線通信部４５０が従たる通信機能部として附設されて構成されている。主たる通信機能部は、この実施形態でも、既述の携帯電話機におけると同様のＣＤＭＡ方式の構成を有する。これに対し、短距離無線通信部４５０は、ブルートゥース（段落０００５参照）や赤外線通信などの方式をとる。
【００３４】
図４は図３の実施形態の全体の動作を示すフローチャートである。次に、このフローチャートを参照して、本実施形態の動作について詳細に説明する。
【００３５】
まず、操作部４２０から制御部４１０による制御下で撮像装置４３０を作動させる（ステップＢ１，Ｂ２）。
【００３６】
撮像装置４３０によって撮影された画像のデータは、メモリ部４４０の最新画像記憶部４４２に保存される。
【００３７】
次いで、この撮影された画像を送信するかどうかの判断（選択操作）を行い（ステップＢ３）、「送信する」を選択した場合、制御部４１０による制御下でサーチ機能が自働的に作動する（ステップＢ４）。
【００３８】
サーチ機能は、短距離無線通信部４５０を使用し、他の携帯無線端末５００，６００とネットワークを介さず直接通信を行うことで実現する。サーチを行う際に検索の条件を設定することが可能で、その条件を設定するための情報はあらかじめメモリ部１４０の個人情報記憶部１４１に保存してある個人情報や相手端末５００，６００のＩＤなどの情報を参照する。例えば、「自分の端末の電話帳に登録されている」というサーチの検索条件を設定する。
【００３９】
サーチを行った結果、この条件を満たす端末が検出されない場合は処理を終了し（ステップＢ５）、検出された場合（ステップＢ５）、その検索結果を画面に表示する（ステップＢ６）。検索結果から画像の送信先を選択する（ステップＢ７）。
【００４０】
撮影が終了し撮影された画像がメモリ部の最新画像部に記憶されているのを確認してからその画像を読み出し（ステップＢ８）、ステップＢ７で選択した端末に短距離無線通信部４５０を用いて送信する（ステップＢ９）。
【００４１】
上述の実施形態によれば、簡易な操作で近隣の特定の端末にデータを送信することが可能となる。特に送信データが撮像装置により撮影した電子画像データである場合は、その場で近隣に存在する特定の複数端末に送信したいというニーズがあるのに対し、従来はネットワークの介在を俟たない簡単な操作でこのようなニーズを満たす有効な手段が無かったが、本発明の実施形態によれば、上述のような画像データの伝送についても近隣の領域内に存在する相手先を限定して極めて簡単な操作でこのような画像の伝送を行なうことができるという利便性が確保される。
【００４２】
【発明の効果】
以上詳述したように、本発明によれば、ブルートゥースのような近距離無線通信機能を応用して、簡単な構成で、相手先を限定した上で、ネットワークを介さずに簡単な操作で直接無線通信を行なうことができる。また撮像装置により撮影した画像データの送信に関しても近距離無線通信機能を応用し相手先を限定して極めて簡単な操作でこのような画像の伝送を行なうことができるといった利便性が確保される。
【図面の簡単な説明】
【図１】本発明の一実施形態の要部を示す機能ブロック図である。
【図２】図１の実施形態の全体の動作を表すフローチャートである。
【図３】本発明の他の実施形態の要部を示す機能ブロック図である。
【図４】図３の実施形態の全体の動作を示すフローチャートである。
【符号の説明】
１００、４００、    携帯無線端末
１１０、４１０      制御部
１２０、４２０      操作部
１３０、４４０      メモリ部
１４０、４５０      短距離無線通信部
２００、３００、５００、６００  他の携帯無線端末
４３０              撮像部
４４１              個人情報記憶部
４４２              最新画像記憶部
【図１】
0004045536.tif 000002
【図２】
0004045536.tif 000003
【図３】
0004045536.tif 000004
【図４】
0004045536.tif 000005